(57)【要約】【課題】箱へ挿入しやすくした緩衝材で作業工数を削減し、下側の緩衝材と上側の緩衝材を共通化することで緩衝材の種類を削減することを可能にした梱包形態を提供することである。【解決手段】箱の中で下側の緩衝材と上側の緩衝材とで被梱包物を挟んで梱包する梱包形態において、被梱包物の一端を保持する保持部を緩衝材のおもて面に形成し、被梱包物の他端を保持する保持部を緩衝材のうら面に形成し、箱に入れる前の緩衝材の側壁の形状は、箱の間口に対して挿入開始する位置から挿入が完了する位置へ向かって広がるテーパー形状をしており、下側の緩衝材と上側の緩衝材を箱に同じ方向に挿入することで、被梱包物の両端を保持する緩衝材を共通化したことを特徴とする構成とした。【選択図】  図１ａ
2015229514.tif 000002
【特許請求の範囲】
【請求項１】
箱の中で下側の緩衝材と上側の緩衝材とで被梱包物を挟んで梱包する梱包形態において、
被梱包物の一端を保持する保持部を緩衝材のおもて面に形成し、
被梱包物の他端を保持する保持部を緩衝材のうら面に形成し、
箱に入れる前の緩衝材の側壁の形状は、箱の間口に対して挿入開始する位置から挿入が完了する位置へ向かって広がるテーパー形状をしており、
下側の緩衝材と上側の緩衝材を箱に同じ方向に挿入することで、
被梱包物の両端を保持する緩衝材を共通化したことを特徴とする梱包形態。
【請求項２】
緩衝材のうら面に形成する保持部の形状は、複数の形状が階段状に形成されることを特徴とする請求項１に記載の梱包形態。
【請求項３】
被梱包物の一端を保持する保持部と被梱包物の他端を保持する保持部は、同心円状に配置されたことを特徴とする請求項１又は請求項２に記載の梱包形態。
【請求項４】
前記被梱包物はカメラ用の交換レンズであることを特徴とする請求項乃至請求項３の何れか一項に記載の梱包形態。
【発明の詳細な説明】
【技術分野】
【０００１】
本発明は、包装構造に関し、特に被梱包物を上下の緩衝材で保持する際の梱包作業工数削減と包装材の共通化技術に関するものである。
【背景技術】
【０００２】
従来、箱のなかに被梱包物を梱包する形態として、上側緩衝材の保持部と下側緩衝材の保持部とで被梱包物を保持する梱包形態が利用されている。
【０００３】
被梱包物の上側保持部と下側保持部の形状が異なるときは、被梱包物の保持される形状に合わせるために上側緩衝材と下側緩衝材をそれぞれ別々の形状としていた。
【０００４】
また、被梱包物を衝撃から保護するためには、被梱包物と箱との空間を確保し、衝撃に耐える強度と衝撃吸収性が緩衝材に求められるので、緩衝材の周囲には側壁を設けている。その側壁は箱とのガタを詰めるために台形形状をしており、台形の上底は、箱の間口とほぼ同じとし、台形の下底は箱の間口より大きくすることで、緩衝材を箱にいれたときに側壁が撓んで、箱と緩衝材のガタを吸収する。同時に外部からの衝撃が加わったときに側壁が衝撃吸収の役目を果たす。
【０００５】
梱包の手順としては、箱に下側緩衝材を挿入し、その上に被梱包物を載せ、最後に上側緩衝材をかぶせる。
【０００６】
特許文献１では、上側緩衝材と下側緩衝材の側壁が台形形状に成形されている梱包形態が開示されている。
【０００７】
特許文献１では、下側緩衝材を箱に挿入するときは、側壁の台形の下底から先にいれることになる。上側緩衝材を箱に入れるときは、側壁の台形の上底から先に入れることになる。
【先行技術文献】
【特許文献】
【０００８】
【特許文献１】特開２００３−６３５６９号公報
【発明の概要】
【発明が解決しようとする課題】
【０００９】
しかしながら、上述の特許文献に開示された従来技術では、下側の緩衝材を箱に入れる方向は、緩衝材の台形形状の下底から箱に入れなければならない。箱の間口の寸法より大きな緩衝材の側壁の部分を作業者が手で内側に撓ませながら挿入しなければならず作業工数がかかっていた。
【００１０】
また、下側緩衝材と上側緩衝材は、別々の形状をしており緩衝材の種類が増えてしまっていた。
【００１１】
そこで、本発明の目的は、箱へ挿入しやすくした緩衝材で作業工数を削減し、下側の緩衝材と上側の緩衝材を共通化することで緩衝材の種類を削減することを可能にした梱包形態を提供することである。
【課題を解決するための手段】
【００１２】
上記目的を達成するために、本発明は、
箱の中で下側の緩衝材と上側の緩衝材とで被梱包物を挟んで梱包する梱包形態において、
被梱包物の一端を保持する保持部を緩衝材のおもて面に形成し、
被梱包物の他端を保持する保持部を緩衝材のうら面に形成し、
箱に入れる前の緩衝材の側壁の形状は、箱の間口に対して挿入開始する位置から挿入が完了する位置へ向かって広がるテーパー形状をしており、
下側の緩衝材と上側の緩衝材を箱に同じ方向に挿入することで、上下の緩衝材を箱に入れる作業がやりやすくなるとともに、
被梱包物の両端を保持する緩衝材を共通化したことを特徴とする。
【発明の効果】
【００１３】
本発明によれば、作業工数を削減し、緩衝材の種類を減らした梱包形態を提供することができる。
【図面の簡単な説明】
【００１４】
【図１ａ】実施例１の斜視図
【図１ｂ】実施例１の断面図
【図１ｃ】箱に収納された状態を示す断面図
【図２】実施例２の交換レンズとカメラの斜視図
【図３ａ】実施例２の梱包形態を表す図
【図３ｂ】実施例２の梱包形態を表す図
【図３ｃ】実施例２の梱包形態を表す図
【図３ｄ】実施例２の梱包形態を表す図
【発明を実施するための形態】
【００１５】
以下に、本発明の好ましい実施の形態を、添付の図面に基づいて詳細に説明する。
【００１６】
図１は、本発明の実施例１にかかわる梱包形態を示す図である。図２、図３は本発明の実施例２にかかわる梱包形態を示す図である。
【００１７】
［実施例１］
以下、図１を参照して、本発明の第1の実施例による上下の緩衝材を共通化するとともに、箱への挿入を容易にした梱包形態について説明する。
【００１８】
図１は被梱包物がカメラの交換レンズの例である。図１aは、箱に梱包される状態の斜視図である。図１bは緩衝材の保持部の形状を示す断面図である。図１cは箱に収納された状態を示す断面図である。
【００１９】
交換レンズ１はカメラとの取り付け側のマウント部２と、前面側のレンズ３を保護するため、それぞれマウントキャップ４、レンズキャップ５が取り付けられている。下側の緩衝材６と上側の緩衝材７は同一形状をしている。
【００２０】
図１ｂに示すように緩衝材６，７は交換レンズ１のマウントキャップ４を保持する保持部Ａをおもて面に形成している。また緩衝材６、７は交換レンズ１のレンズキャップ４を保持する保持部Ｂを裏面に形成している。保持部Ａと保持部Ｂはレンズの光軸方向からみて同心円状に形成されている。
【００２１】
箱８の間口９の内寸は135×135の正方形をしている。
【００２２】
緩衝材６、７の箱に挿入開始する側の端面１０は縦横寸法が134×134の形状をしており、箱の間口９の寸法より1ｍｍ小さい。緩衝材６、７の箱に挿入完了する側の端面１１は縦横寸法が140×140の形状をしており、箱の間口９の寸法より大きい。
【００２３】
梱包手順は、まず箱８に下側の緩衝材６を挿入する。箱の間口９の内寸よりも緩衝材６の端面１０のほうが寸法が小さいので箱の中へ挿入がしやすい。緩衝材６を箱に挿入するにしたがい、箱の間口９の位置が端面１０から端面１１へ移動していき、緩衝材６の壁面１２は内側へ撓み付勢される。この付勢力により箱のなかでの緩衝材６のガタが生じなくなり、箱８の中での位置がしっかり決まる。
【００２４】
次に、被梱包物である交換レンズ１をマウントキャップ４を下にして箱８に挿入する。下側の緩衝材６の保持部Ａにマウントキャップ４が入り、交換レンズ１の下側は、緩衝材６によって保持される。
【００２５】
上側の緩衝材７を箱の間口９に挿入開始するときも、挿入開始位置では緩衝材７の端面１０のほう箱の間口９より小さいので箱８の中へ挿入がしやすく、箱の間口９の位置が端面１０から端面１１へ移動していき、緩衝材７の壁面１２は内側へ撓み付勢される。この付勢力により緩衝材７の箱のなかでのガタは消される。
【００２６】
そのまま上側の緩衝材７を箱の中へ挿入していくと、交換レンズのレンズキャップ５の部分が緩衝材７の保持部Ｂに入る。
【００２７】
上側の緩衝材７の上に仕切り１３を載せ、仕切り１３の内側に取り扱い説明用のＣＤ-ROM（図示せず）と保証書（図示せず）を入れてふたを閉じる。
【００２８】
以上の包装手順で、交換レンズ１は上下の緩衝材６，７によって箱の中心に確実に保持される。
【００２９】
以上説明したように、本発明によれば、箱への梱包作業性が良好な緩衝材で、しかも一種類の緩衝材で上下を保持する梱包形態を可能にする。
【００３０】
［実施例２］
以下、図２、図３を参照して、本発明の第２の実施例による、マウント部２の形状が共通である複数の交換レンズを一種類の緩衝材で梱包可能な梱包形態について説明する。
図２に示すように、カメラ２０のカメラ側のマウント２１に交換レンズのマウント部２を勘合することでカメラとレンズは合体する。カメラ側のマウント２１とレンズ側のマウント２は、形状を標準化することで、複数機種のカメラで複数の交換レンズが使えるためユーザーにとってメリットが大きい。
【００３１】
交換レンズはマウント部２を共通形状とする複数のレンズが製品ラインナップとして販売されている。図２に示す交換レンズ２２、交換レンズ２３、交換レンズ２４は長さと径が異なる交換レンズである。レンズキャップ側の直径がそれぞれ異なり、大径、中径、小径の３種類に標準化されている。交換レンズ２２はレンズキャップ側が小径のレンズ、交換レンズ２３はレンズキャップ側が中径のレンズ、交換レンズ２４はレンズキャップ側が大径のレンズの代表例である。
【００３２】
図３aは上下の緩衝材２５，２６の斜視図である。緩衝材２５，２６のうら面に保持部Ｂ、Ｃ、Ｄ、が階段状に形成されている。おもて面には保持部Ａが形成されている。保持部Ａ、Ｂ、Ｃ、Ｄは同心円状に配置されている。
【００３３】
図３bはレンズキャップ側が小径の交換レンズ２２の梱包を示す図である。図３cはレンズキャップ側が中径の交換レンズ２３の梱包を示す図である。図３ｄはレンズキャップ側が大径の交換レンズ２４の梱包を示す図である。図３b、図３c、図３dにおいて緩衝材２５，２６は形状が判りやすいように断面図で示している。
【００３４】
上下の緩衝材２５，２６は交換レンズ２２、２３，２４のマウントキャップ４を保持する保持部Ａをおもて面に形成している。また緩衝材２５、２６は交換レンズ２２、２３，２４のレンズキャップ５を保持する保持部Ｂ、保持部Ｃ、保持部Ｄ部を裏面に形成している。保持部Ａ、保持部Ｂ、保持部Ｃ，保持部Ｄはレンズの光軸方向からみて同心円状に形成されている。保持部Ｂは小径のレンズキャップ部を保持するのに適した径であり、保持部Ｃは中径のレンズキャップ部を保持するのに適した径であり、保持部Ｄは大径のレンズキャップを保持するのに適した径となっている。箱の間口９と緩衝材の端面１０、１１の寸法は実施例１と同じである。
【００３５】
図３ｂを使ってレンズキャップ５が小径の交換レンズ２２の梱包手順を示す。まず箱８に下側の緩衝材２５を挿入する。箱の間口９の内寸よりも緩衝材２５の端面１０のほうが寸法を小さく設定しているので箱の中へ挿入がしやすい。緩衝材２５を箱に挿入するにしたがい、箱の間口９の位置が端面１０から端面１１へ移動していき、緩衝材５の壁面１２は内側へ撓み付勢される。この付勢力により箱のなかでの緩衝材２５のガタが生じなくなり、箱８の中での位置がしっかり決まる。
【００３６】
次に、被梱包物である交換レンズ２２をマウントキャップ４を下にして箱８に挿入する。下側の緩衝材２５の保持部Ａにマウントキャップ４が入り、交換レンズ２２の下側は、緩衝材２５によって保持される。上側の緩衝材２６を箱の間口９に挿入開始するときも、挿入開始位置では緩衝材２６の端面１０のほう箱の間口９より小さいので箱の中へ挿入がしやすく、箱の間口９の位置が端面１０から端面１１へ移動していき、緩衝材２６の壁面１２は内側へ撓み付勢される。この付勢力により緩衝材２６の箱のなかでのガタは消される。そのまま上側の緩衝材２６を箱の中へ挿入していくと、交換レンズのレンズキャップ５の部分が緩衝材２６の保持部Ｂで保持される。上側の緩衝材２６の上に仕切り１３を載せ、仕切り１３の内側に取り扱い説明用のＣＤ-ROM（図示せず）と保証書（図示せず）を入れてふたを閉じる。
【００３７】
以上の包装手順で、交換レンズ２２は上下の緩衝材２５，２６によって箱８の中心に確実に保持される。
【００３８】
図３ｃにレンズキャップ４が中径の交換レンズ２３の梱包手順を示す。まず箱８に下側の緩衝材２５を挿入する。ここから上側の緩衝材２６を挿入する前までの手順は前述の図３ｂでの説明と同じなので省略する。
【００３９】
上側の緩衝材２６を箱の間口８に挿入開始するときも、挿入開始位置では緩衝材２６の端面９のほう箱の間口９より小さいので箱の中へ挿入がしやすく、箱の間口９の位置が端面１０から端面１１へ移動していき、緩衝材２６の壁面１２は内側へ撓み付勢される。この付勢力により緩衝材２６の箱のなかでのガタは消される。
【００４０】
そのまま上側の緩衝材２６を箱の中へ挿入していくと、交換レンズのレンズキャップ５の部分が緩衝材２６の保持部Ｃで保持される。上側の緩衝材２６の上に仕切り１３を載せ、仕切り１３の内側に取り扱い説明用のＣＤ-ROM（図示せず）と保証書（図示せず）を入れてふたを閉じる。
【００４１】
以上の包装手順で、交換レンズ２３は上下の緩衝材２５，２６によって箱８の中心に確実に保持される。
【００４２】
図３ｄにレンズキャップ４が大径の交換レンズ２４の梱包手順を示す。まず箱８に下側の緩衝材２５を挿入する。ここから上側の緩衝材２６を挿入する前までの手順は前述の図３ｂでの説明と同じなので省略する。
【００４３】
上側の緩衝材２６を箱の間口９に挿入開始するときも、挿入開始位置では緩衝材２６の端面９のほう箱の間口９より小さいので箱の中へ挿入がしやすく、箱の間口９の位置が端面１０から端面１１へ移動していき、緩衝材２６の壁面１２は内側へ撓み付勢される。この付勢力により緩衝材２６の箱のなかでのガタは消される。
【００４４】
そのまま上側の緩衝材２６を箱の中へ挿入していくと、交換レンズのレンズキャップ５の部分が緩衝材２６の保持部Ｄで保持される。
【００４５】
上側の緩衝材２６の上に仕切り１３を載せ、仕切り１３の内側に取り扱い説明用のＣＤ-ROM（図示せず）と保証書（図示せず）を入れてふたを閉じる。
【００４６】
以上の包装手順で、交換レンズ２４は上下の緩衝材２５，２６によって箱８の中心に確実に保持される。
【００４７】
以上説明したように、本発明によれば、一端の形状が共通形状であって他端の形状が複数あるような交換レンズの梱包について、箱への梱包作業性が良好な緩衝材で、しかも一種類の緩衝材で上下を保持する梱包形態を可能にする。
【００４８】
以上、本発明の好ましい実施形態について説明したが、本発明はこれらの実施形態に限定されず、その要旨の範囲内で種々の変形及び変更が可能である。
【符号の説明】
【００４９】
１：交換レンズ、２：マウント部、３：レンズ部、４：マウントキャップ、
５：レンズキャップ、６：下側緩衝材、７：上側緩衝材、８：箱、９：間口、
１０：挿入開始側端面、１１：挿入完了側端面、１２：壁面、１３：仕切り、
２０：カメラ、２１：カメラ側マウント部、２２：小径交換レンズ、
２３：中径交換レンズ、２４：大径交換レンズ、２５：下側緩衝材、２６：上側緩衝材
【図１ａ】
2015229514.tif 000003
【図１ｂ】
2015229514.tif 000004
【図１ｃ】
2015229514.tif 000005
【図２】
2015229514.tif 000006
【図３ａ】
2015229514.tif 000007
【図３ｂ】
2015229514.tif 000008
【図３ｃ】
2015229514.tif 000009
【図３ｄ】
2015229514.tif 000010